(57)【特許請求の範囲】
【請求項１】
カード状媒体が収容されるカード収容部と、前記カード収容部に前記カード状媒体が収容されるカード収容位置と前記カード状媒体に所定の処理が行われるカード処理位置との間で前記カード収容部をスライド可能に保持する保持部と、前記カード収容部に収容された前記カード状媒体に当接して前記カード収容部内の１つの側面であるカード押付面に向かって前記カード状媒体を付勢する板状または線状のバネ部材とを備え、
前記バネ部材の一端側は、前記カード収容部に固定され、
前記保持部には、前記カード処理位置に前記カード収容部が移動したときに、前記バネ部材に当接して、前記カード押付面に向かって前記バネ部材を押し付ける押付部が形成されていることを特徴とするカード状媒体処理装置。
【請求項２】
前記バネ部材は、前記カード状媒体に当接するカード当接部と、前記押付部が当接する被押付部とを備え、
前記カード当接部は、前記カード状媒体に向かって突出するように形成され、
前記被押付部は、前記カード当接部の突出方向と反対の方向へ突出するように形成され、
前記押付部には、前記被押付部に当接する傾斜面が形成され、
前記傾斜面は、前記カード状媒体処理装置の奥側に向かうにしたがって、前記カード押付面側へ傾斜していることを特徴とする請求項１記載のカード状媒体処理装置。
【請求項３】
前記バネ部材は、前記カード状媒体に当接するカード当接部と、前記押付部が当接する被押付部とを備え、
前記被押付部は、前記カード当接部よりも前記バネ部材の他端側に形成されていることを特徴とする請求項１または２記載のカード状媒体処理装置。
【請求項４】
前記バネ部材は、板バネであり、
前記カード当接部および前記被押付部は、平板状の部材が折り曲げられることで形成されていることを特徴とする請求項２または３記載のカード状媒体処理装置。
【請求項５】
前記カード状媒体に形成される端子部に接触するＩＣ接点を備え、
前記カード収容部が前記カード処理位置にあるときに、前記端子部と前記ＩＣ接点とが接触して、前記カード状媒体と前記カード状媒体処理装置との間でデータのやりとりが行われることを特徴とする請求項１から４のいずれかに記載のカード状媒体処理装置。
【請求項６】
前記ＩＣ接点を保持するＩＣ接点ブロックを備え、
前記カード収容部に収容された前記カード状媒体が前記カード収容部とともに前記カード処理位置へ移動して前記ＩＣ接点ブロックに接触すると、前記ＩＣ接点ブロックが前記カード状媒体に向かって移動して、前記端子部と前記ＩＣ接点とが接触することを特徴とする請求項５記載のカード状媒体処理装置。
【請求項７】
前記カード収容部に前記カード状媒体が収容されたことを検出する検出機構を備えることを特徴とする請求項１から６のいずれかに記載のカード状媒体処理装置。
【発明の詳細な説明】
【技術分野】
【０００１】
本発明は、カード状媒体に所定の処理を行うカード状媒体処理装置に関する。
【背景技術】
【０００２】
従来、接触式のＩＣカードへのデータの記録やＩＣカードからのデータの読取を行うカードリーダとして、ＩＣカードを収容する収容部材（トレイ）を移動させて、カードリーダ内でＩＣカードを搬送するカードリーダが知られている（たとえば、特許文献１参照）。特許文献１に記載のカードリーダは、ＩＣカードとの間でデータのやりとりを行うためのＩＣ接点を備えており、このＩＣ接点は、カードリーダの奥端側に配置されている。このカードリーダでは、収容部材によってＩＣカードがカードリーダの奥端側へ搬送されると、ＩＣカードに形成される端子部とＩＣ接点とが接触して、カードリーダとＩＣカードとの間でデータのやりとりが行われる。
【０００３】
また、特許文献１に記載のカードリーダは、収容部材に収容されたＩＣカードに当接して収容部材内でＩＣカードを保持するバネ部材（板バネ）を備えている。バネ部材の一端側は、収容部材に固定されている。また、バネ部材によるＩＣカードの押圧力は、収容部材がカードリーダの奥側へ移動するにつれて増加するようになっている。
【先行技術文献】
【特許文献】
【０００４】
【特許文献１】特開２００８−３３８４２号公報
【発明の概要】
【発明が解決しようとする課題】
【０００５】
上述のように、特許文献１に記載のカードリーダでは、収容部材がカードリーダの奥側へ移動するにつれて、バネ部材によるＩＣカードの押圧力が増加する。そのため、このカードリーダでは、カードリーダの手前側に配置されている収容部材へＩＣカードを収容する際には、ユーザの操作性を損なわず、かつ、収容部材に収容されたＩＣカードが収容部材から抜けるのを防止することが可能になる。また、このカードリーダでは、収容部材がカードリーダの奥端側へ移動してカードリーダとＩＣカードとの間でデータのやりとりが行われる際には、ＩＣカードの保持力を高めて、収容部材からＩＣカードが抜けるのを効果的に防止することが可能になる。しかしながら、特許文献１には、かかる効果を生じさせるための具体的な構成は開示されていない。
【０００６】
そこで、本発明の課題は、カード収容部にカード状媒体を収容する際のユーザの操作性を確保するとともにカード収容部に収容されたカード状媒体のカード収容部からの抜けを防止することが可能で、かつ、カード状媒体に所定の処理が行われる際のカード収容部からのカード状媒体の抜けを効果的に防止することが可能なカード状媒体処理装置の具体的な構成を提案することにある。
【課題を解決するための手段】
【０００７】
上記の課題を解決するため、本発明のカード状媒体処理装置は、カード状媒体が収容されるカード収容部と、カード収容部にカード状媒体が収容されるカード収容位置とカード状媒体に所定の処理が行われるカード処理位置との間でカード収容部をスライド可能に保持する保持部と、カード収容部に収容されたカード状媒体に当接してカード収容部内の１つの側面であるカード押付面に向かってカード状媒体を付勢する板状または線状のバネ部材とを備え、バネ部材の一端側は、カード収容部に固定され、保持部には、カード処理位置にカード収容部が移動したときに、バネ部材に当接して、カード押付面に向かってバネ部材を押し付ける押付部が形成されていることを特徴とする。
【０００８】
本発明のカード状媒体処理装置は、カード収容位置とカード処理位置との間でカード収容部をスライド可能に保持する保持部と、カード収容部に収容されたカード状媒体に当接してカード収容部内のカード押付面に向かってカード状媒体を付勢するバネ部材とを備えている。また、本発明では、バネ部材の一端側は、カード収容部に固定され、保持部には、カード処理位置にカード収容部が移動したときに、バネ部材に当接して、カード押付面に向かってバネ部材を押し付ける押付部が形成されている。
【０００９】
そのため、本発明では、カード収容部にカード状媒体を収容する際に、カード収容部に一端側が固定された片持ち状態のバネ部材をカード状媒体に当接させることが可能になる。したがって、本発明では、カード収容部にカード状媒体を収容する際にカード状媒体に作用するバネ部材のバネ力を小さくすることが可能になり、カード収容部にカード状媒体を収容する際のユーザの操作性を確保することが可能になる。また、小さなバネ力であってもカード状媒体にはバネ部材のバネ力が作用するため、カード収容部に収容されたカード状媒体のカード収容部からの抜けを防止することが可能になる。したがって、本発明では、カード収容位置とカード処理位置との間でスライドするカード収容部の移動時に、カード収容部からカード状媒体が抜けるのを防止することが可能になる。
【００１０】
また、本発明では、カード処理位置にカード収容部が移動したときに、バネ部材は、保持部に形成される押付部によって、カード押付面に向かって押し付けられる。そのため、押付部を利用して、バネ部材の、カード状媒体に当接する部分の両側でバネ部材を支持した両持ち状態のバネ部材をカード状媒体に当接させることが可能になる。あるいは、片持ち状態のバネ部材をカード状媒体に当接させる場合であっても、押付部を利用して、バネ部材の支点（すなわち、バネ部材の、押付部が当接する部分）と作用点（すなわち、バネ部材の、カード状媒体に当接する部分）との距離を短くすることが可能になる。したがって、本発明では、カード収容部がカード処理位置にあるときにカード状媒体に作用するバネ部材のバネ力を大きくすることが可能になり、その結果、カード状媒体に所定の処理が行われる際のカード収容部からのカード状媒体の抜けを効果的に防止することが可能になる。
【００１１】
このように、本発明では、保持部に形成される押付部を用いた比較的簡易な構成で、カード収容部にカード状媒体を収容する際のユーザの操作性を確保するとともにカード収容部に収容されたカード状媒体のカード収容部からの抜けを防止することが可能になり、かつ、カード状媒体に所定の処理が行われる際のカード収容部からのカード状媒体の抜けを効果的に防止することが可能になる。また、本発明では、カード収容部にカード状媒体を収容する際にカード状媒体に作用するバネ部材のバネ力を小さくすることが可能になるため、カード収容部にカード状媒体を収容する際にカード状媒体に傷が生じるのを抑制することが可能になる。
【００１２】
本発明において、たとえば、バネ部材は、カード状媒体に当接するカード当接部と、押付部が当接する被押付部とを備え、カード当接部は、カード状媒体に向かって突出するように形成され、被押付部は、カード当接部の突出方向と反対の方向へ突出するように形成され、押付部には、被押付部に当接する傾斜面が形成され、傾斜面は、カード状媒体処理装置の奥側に向かうにしたがって、カード押付面側へ傾斜している。この場合には、傾斜面を利用して、カード状媒体に作用するバネ力をしだいに大きくしていくことが可能になる。
【００１３】
本発明において、たとえば、バネ部材は、カード状媒体に当接するカード当接部と、押付部が当接する被押付部とを備え、被押付部は、カード当接部よりもバネ部材の他端側に形成されている。この場合には、カード収容部がカード処理位置にあるときに、押付部を利用して、カード当接部の両側でバネ部材を支持することが可能になる。すなわち、押付部を利用して、両持ち状態のバネ部材をカード状媒体に当接させることが可能になる。
【００１４】
本発明において、バネ部材は、板バネであり、カード当接部および被押付部は、平板状の部材が折り曲げられることで形成されていることが好ましい。このように構成すると、バネ部材の構成を簡素化することが可能になる。
【００１５】
本発明において、カード状媒体処理装置は、たとえば、カード状媒体に形成される端子部に接触するＩＣ接点を備え、カード収容部がカード処理位置にあるときに、端子部とＩＣ接点とが接触して、カード状媒体とカード状媒体処理装置との間でデータのやりとりが行われる。この場合には、端子部とＩＣ接点とが接触してカード状媒体とカード状媒体処理装置との間でデータのやりとりが行われているときのカード収容部からのカード状媒体の抜けを効果的に防止することが可能になる。したがって、カード状媒体に記録されるデータが破壊されるのを防止することが可能になる。
【００１６】
本発明において、カード状媒体処理装置は、たとえば、ＩＣ接点を保持するＩＣ接点ブロックを備え、カード収容部に収容されたカード状媒体がカード収容部とともにカード処理位置へ移動してＩＣ接点ブロックに接触すると、ＩＣ接点ブロックがカード状媒体に向かって移動して、端子部とＩＣ接点とが接触する。この場合には、カード収容部からカード状媒体が抜ける方向へＩＣ接点ブロックからの反力がカード状媒体に作用することもあるが、本発明では、カード収容部がカード処理位置にあるときにカード状媒体に作用するバネ部材のバネ力を大きくすることが可能になるため、端子部とＩＣ接点とが接触してカード状媒体とカード状媒体処理装置との間でデータのやりとりが行われる際のカード収容部からのカード状媒体の抜けを効果的に防止することが可能になる。
【００１７】
本発明において、カード状媒体処理装置は、たとえば、カード収容部にカード状媒体が収容されたことを検出する検出機構を備えている。
【発明の効果】
【００１８】
以上のように、本発明のカード状媒体処理装置では、カード収容部にカード状媒体を収容する際のユーザの操作性を確保するとともにカード収容部に収容されたカード状媒体のカード収容部からの抜けを防止することが可能になり、かつ、カード状媒体に所定の処理が行われる際のカード収容部からのカード状媒体の抜けを効果的に防止することが可能になる。
【図面の簡単な説明】
【００１９】
【図１】本発明の実施の形態にかかるカード状媒体処理装置の斜視図である。
【図２】図１に示すカード状媒体処理装置からフレーム等を取り外した状態の斜視図である。
【図３】図１に示すカード状媒体処理装置の断面図である。
【図４】図１に示すカード状媒体処理装置において、カード処理位置までトレイが移動したときのカード状媒体およびＩＣ接点ブロックの状態を説明するための側面図である。
【図５】図１に示すカード状媒体処理装置の断面図であり、（Ａ）はカード収容位置にあるトレイにカードが収容されたときの状態を示す図、（Ｂ）はトレイがカード処理位置にあるときの状態を示す図である。
【発明を実施するための形態】
【００２０】
以下、図面を参照しながら、本発明の実施の形態を説明する。
【００２１】
（カード状媒体処理装置の概略構成）
図１は、本発明の実施の形態にかかるカード状媒体処理装置１の斜視図である。図２は、図１に示すカード状媒体処理装置１からフレーム４等を取り外した状態の斜視図である。図３は、図１に示すカード状媒体処理装置１の断面図である。図４は、図１に示すカード状媒体処理装置１において、カード処理位置までトレイ３が移動したときのカード状媒体２およびＩＣ接点ブロック１１の状態を説明するための側面図である。
【００２２】
本形態のカード状媒体処理装置１は、カード状媒体である接触式のＩＣカード２（以下、「カード２」とする）に記録されたデータの読取やカード２へのデータの記録を行うためのカードリーダである。したがって、以下では、本形態のカード状媒体処理装置１を「カードリーダ１」とする。このカードリーダ１は、カード２が収容されるカード収容部としてのトレイ３と、トレイ３をスライド可能に保持する保持部としてのフレーム４と、トレイ３を駆動する駆動機構５と、カード２とデータのやりとりを行うためのＩＣ接点６とを備えている。
【００２３】
本形態では、図１等に示すＸ方向にトレイ３がスライドして、カード２が移動する。また、Ｘ方向に略直交する図１等のＺ方向は、カードリーダ１に挿入されるカード２の厚さ方向であり、Ｘ方向とＺ方向とに略直交する図１等のＹ方向は、カードリーダ１に挿入されるカード２の幅方向（短手幅方向）である。なお、以下の説明では、Ｘ１方向側を「奥（後ろ）」側、Ｘ２方向側を「前」側、Ｙ１方向側を「右」側、Ｙ２方向側を「左」側、Ｚ１方向側を「上」側、Ｚ２方向側を「下」側とする。
【００２４】
カード２は、厚さが０．７〜０．８ｍｍ程度の矩形状の塩化ビニール製のカードである。上述のように、カード２は、接触式のＩＣカードであり、カード２には、ＩＣチップ（図示省略）が内蔵されている。また、カード２の表面（上面）には、ＩＣチップと電気的に繋がる端子部２ａ（図２参照）が形成されている。
【００２５】
トレイ３は、樹脂材料によって形成されている。また、トレイ３は、上下方向に扁平な略四角筒状に形成されており、その前端と奥端とが開口している。トレイ３の前端は、カード２の挿入口となっている。トレイ３の奥端には、カード２の端部が突き当たる突当部３ａが形成されている。突当部３ａは、トレイ３の内部において、カード２の前後方向の位置決めの機能を果たしている。トレイ３には、カード２の略半分程度が収容可能となっている。トレイ３の詳細な構成については後述する。
【００２６】
フレーム４は、上下方向に扁平な略直方体状に形成されており、フレーム４の内部には、トレイ３が配置される配置空間が形成されている。フレーム４は、トレイ３を前後方向へスライド可能に保持している。本形態では、トレイ３がフレーム４の前端側に配置されてカード２がトレイ３に収容されるカード収容位置（図５（Ａ）に示す位置）と、トレイ３がフレーム４の奥側へ移動してカード２の端子部２ａとＩＣ接点６とが接触しデータのやりとりが行われるカード処理位置（図５（Ｂ）に示す位置）との間で、トレイ３は、フレーム４に対してスライド可能となっている。フレーム４の上側には、基板８が固定されている。フレーム４の詳細な構成については後述する。
【００２７】
駆動機構５は、駆動源となるモータ９と、モータ９の動力をトレイ３に伝達する動力伝達機構とを備えている。モータ９は、フレーム４の奥端側に固定されている。動力伝達機構は、たとえば、フレーム４に回転可能に支持される歯車列と、トレイ３に固定されるラック１０（図２参照）とから構成されており、歯車列を構成するピニオンがラック１０に噛み合っている。この動力伝達機構は、フレーム４の左端側に配置されている。
【００２８】
ＩＣ接点６は、ＩＣ接点ブロック１１に保持されている。ＩＣ接点ブロック１１は、フレーム４の内部の奥端側に配置されている。また、ＩＣ接点ブロック１１は、上方へ退避している退避位置（図５（Ａ）に示す位置）と、カード２の端子部２ａにＩＣ接点６が接触する接触位置との間でスライド可能となるように、フレーム４に保持されている。
【００２９】
本形態では、カード収容位置にトレイ３があるとき（すなわち、フレーム４の前端側にトレイ３が配置されているとき）に、ＩＣ接点ブロック１１は、退避位置にある。この状態で、トレイ３に収容されたカード２がトレイ３とともにカード処理位置に向かって移動すると（すなわち、フレーム４の奥側へ移動すると）、カード２の端部がＩＣ接点ブロック１１の当接部１１ａに当接する。この状態で、さらにトレイ３がフレーム４の奥側へ移動すると、カード２に押されたＩＣ接点ブロック１１は、カード２に向かって奥斜め下側へ移動する。カード処理位置までトレイ３が移動すると、図４に示すように、カード２の端子部２ａにＩＣ接点６が所定の接触圧で接触する。
【００３０】
なお、ＩＣ接点ブロック１１には、上方向へ突出する遮光部１１ｂが形成されている。この遮光部１１ｂが、基板８に実装される光学式のセンサ１２の発光素子と受光素子との間を遮ると、カード処理位置までトレイ３が移動して、カード２の端子部２ａにＩＣ接点６が所定の接触圧で接触していることが検出される。また、ＩＣ接点ブロック１１は、図示を省略する付勢部材によって、退避位置へ向かう方向（すなわち、前斜め上方向）に付勢されており、カード処理位置にあるトレイ３がカード収容位置に向かって移動すると、ＩＣ接点ブロック１１は、付勢部材によって、退避位置へ戻される。
【００３１】
（トレイの構成およびフレームの構成）
図５は、図１に示すカード状媒体処理装置１の断面図であり、（Ａ）はカード収容位置にあるトレイ３にカード２が収容されたときの状態を示す図、（Ｂ）はトレイ３がカード処理位置にあるときの状態を示す図である。
【００３２】
上述のように、トレイ３は、上下方向に扁平な略四角筒状に形成されている。トレイ３の上面を構成する上面部３ｂには、図２に示すように、カード２の端子部２ａとＩＣ接点６との接触が可能となるように、切欠き部３ｃが形成されている。切欠き部３ｃは、トレイ３の奥端から前側に向かって所定の範囲に形成されている。また、トレイ３の上面部３ｂには、後述のバネ部材１３の一部が配置される開口部３ｄが形成されている。開口部３ｄは、上下方向で上面部３ｂを貫通するように形成されるとともに、略矩形状に形成されている。また、開口部３ｄは、上面部３ｂの右前端側に形成されている。
【００３３】
トレイ３の下面を構成する下面部３ｅの上面３ｆ（図３参照）には、カード２の下面が当接するカード搭載部３ｇが上方向へ突出するように形成されている。カード搭載部３ｇは、トレイ３の奥端部と前端側との２箇所に形成されている。トレイ３の前端側に形成されるカード搭載部３ｇは、開口部３ｄの下側に形成されている。カード搭載部３ｇの上端面は、上下方向に略直交する平面状に形成されており、トレイ３に収容されたカード２の下面は、カード搭載部３ｇの上端面に当接する。
【００３４】
トレイ３の内部には、トレイ３にカード２が収容されたことを検出するための検出機構（図示省略）が配置されている。この検出機構は、たとえば、カード２の端部が当接して回動するレバーと、発光素子と受光素子とを有する光学式のセンサとから構成されている。レバーは、カード２の端部が当接するカード当接部と、発光素子と受光素子との間を遮る遮光部とを備えており、たとえば、発光素子と受光素子との間から遮光部が外れている状態のレバーのカード当接部にカード２の端部が当接してレバーが回動し、発光素子と受光素子との間を遮光部が遮ると、トレイ３にカード２が収容されたことが検出される。なお、検出機構は、上下方向からカード２を挟むように配置される発光素子と受光素子とを備える光学式のセンサであっても良いし、カード２に接触するレバー部材を備えるマイクロスイッチであっても良い。
【００３５】
トレイ３の上面部３ｂの上面の右端側には、トレイ３に収容されたカード２の上面に当接して、下面部３ｅの上面３ｆに向かって（すなわち、下側に向かって）カード２を付勢するバネ部材１３が固定されている。バネ部材１３は、ステンレス鋼板等の平板状の金属部材が折り曲げられることで形成された板バネである。バネ部材１３は、前後方向に細長い略帯状に形成されており、バネ部材１３の奥端側が上面部３ｂの上面に固定されている。すなわち、バネ部材１３の奥端側には、上面部３ｂに固定される固定部１３ａが形成されている。また、バネ部材１３の前端側には、カード２の上面に当接するカード当接部１３ｂと、フレーム４に形成される後述の押付部４ｂが当接する被押付部１３ｃとが形成されている。被押付部１３ｃは、カード当接部１３ｂよりも前端側に形成されており、バネ部材１３の前端部分を構成している。
【００３６】
カード当接部１３ｂは、下側へ向かって突出するように形成されている。すなわち、カード当接部１３ｂは、トレイ３に収容されたカード２に向かって突出するように形成されている。具体的には、カード当接部１３ｂは、左右方向から見たときの形状が略三角形状となるように下側に向かって折り曲げられることで形成されている。カード２に当接するカード当接部１３ｂの下端は、円弧状の曲面となっている。
【００３７】
カード当接部１３ｂの一部は、トレイ３の開口部３ｄの中に配置されており、カード当接部１３ｂの下端は、トレイ３の内部に配置されている。また、カード当接部１３ｂの下端は、トレイ３の前端側に形成されるカード搭載部３ｇの上面と所定の隙間を介して対向している。トレイ３の前端側に形成されるカード搭載部３ｇの上面とカード当接部１３ｂの下端との間に形成される隙間は、カード２の厚さよりも薄くなっている。
【００３８】
被押付部１３ｃは、上側へ向かって突出するように形成されている。すなわち、被押付部１３ｃは、カード当接部１３ｂの突出方向と反対の方向へ突出するように形成されている。被押付部１３ｃは、カード当接部１３ｂの前端に繋がるように形成されている。後述の押付部４ｂが当接する被押付部１３ｃの上端は、円弧状の曲面となっている。
【００３９】
上述のように、フレーム４は、上下方向に扁平な略直方体状に形成されており、フレーム４の内部には、トレイ３が配置される配置空間が形成されている。フレーム４の上面を構成する上面部４ａの下面には、カード処理位置にトレイ３が移動する際、および、移動した後に、バネ部材１３の被押付部１３ｃに当接して、トレイ３の下面部３ｅの上面３ｆに向かって（すなわち、下方向に向かって）被押付部１３ｃを押し付ける押付部４ｂが形成されている。押付部４ｂは、上面部４ａの下面から下方向へ突出するように形成されている。本形態では、トレイ３の下面部３ｅの上面３ｆは、トレイ３内の１つの側面であるカード押付面である。なお、カード収容位置にトレイ３があるときには、上面部４ａの下面と被押付部１３ｃとの間には隙間が形成されている。
【００４０】
押付部４ｂの前端側には、被押付部１３ｃに当接する傾斜面４ｃが形成されている。傾斜面４ｃは、奥側に向かうにしたがって下方向へ傾斜する平面状に形成されている。すなわち、傾斜面４ｃは、奥側に向かうにしたがって下面部３ｅの上面３ｆ側へ傾斜している。また、傾斜面４ｃは、奥側に向かうにしたがって下方向へ緩やかに傾斜している。また、押付部４ｂには、傾斜面４ｃの奥端に繋がるように、上下方向に略直交する平面状の平行面４ｄが形成されている。
【００４１】
本形態では、トレイ３がフレーム４の前端側に配置されている状態で、図５（Ａ）に示すように、トレイ３の前端からカード２がトレイ３に挿入されて収容される。カード２がトレイ３に収容されるときには、固定部１３ａがトレイ３に固定されている片持ち状態のバネ部材１３（すなわち、固定部１３ａを支点とする片持ち状態のバネ部材１３）のカード当接部１３ｂがカード２に当接する。
【００４２】
また、トレイ３にカード２が収容された状態では、図５（Ａ）に示すように、カード当接部１３ｂがカード２の上面に当接しており、カード２は、カード当接部１３ｂとカード搭載部３ｇとの間に挟まれた状態で、トレイ３内で保持されている。すなわち、カード２は、片持ち状態のバネ部材１３の付勢力によって、トレイ３内で保持されている。たとえば、前後方向が鉛直方向と平行になるように、カードリーダ１を持ち上げた場合に、カード２の自重でカード２がトレイ３から落ちない程度の保持力で、カード２はトレイ３内で保持されている。
【００４３】
トレイ３の内部に配置される検出機構によってトレイ３にカード２が収容されたことが検出されると、駆動機構５が起動して、トレイ３がフレーム４の奥側へ搬送される。すなわち、カード２がカードリーダ１の奥側へ搬送される。トレイ３がフレーム４の奥側へ搬送されると、やがて、バネ部材１３の被押付部１３ｃがフレーム４の押付部４ｂの傾斜面４ｃに当接する。被押付部１３ｃが傾斜面４ｃに当接すると、被押付部１３ｃは傾斜面によって下側へ押される。
【００４４】
また、トレイ３がフレーム４の奥側へさらに搬送されると、トレイ３は、カード処理位置へ到達する。トレイ３がカード処理位置にあるときには、被押付部１３ｃは、押付部４ｂの平行面４ｄに当接しており、平行面４ｄによって下側へ押されている。すなわち、トレイ３がカード処理位置にあるときには、カード２は、固定部１３ａおよび被押付部１３ｃを支点とする両持ち状態のバネ部材１３の付勢力によって、カード当接部１３ｂとカード搭載部３ｇとの間に挟まれた状態で、トレイ３内で保持されている。また、トレイ３がカード処理位置にあるときには、カード２の端子部２ａにＩＣ接点６が所定の接触圧で接触しており、カードリーダ１とカード２との間でデータのやりとりが行われている。
【００４５】
カードリーダ１とカード２との間でデータのやりとりが終了すると、トレイ３は、カード収容位置までフレーム４の前側へ搬送される。トレイ３がカード収容位置に到達すると、ユーザによって、トレイ３からカード２が引き抜かれる。
【００４６】
（本形態の主な効果）
以上説明したように、本形態では、カード２がトレイ３に収容されるときに、固定部１３ａがトレイ３に固定されている片持ち状態のバネ部材１３のカード当接部１３ｂがカード２に当接する。そのため、本形態では、トレイ３にカード２を収容する際にカード２に作用するバネ部材１３のバネ力を小さくすることが可能になり、トレイ３へカード２を収容する際のユーザの操作性を確保することが可能になる。
【００４７】
また、本形態では、カード２がトレイ３に収容されると、小さなバネ力であってもカード２にバネ部材１３のバネ力が作用するため、トレイ３に収容されたカード２のトレイ３からの抜けを防止することが可能になる。したがって、本形態では、前後方向へトレイ３が移動する際の、トレイ３からのカード２の抜けを防止することが可能になる。また、トレイ３の内部に配置される検出機構がカード２の端部に当接して回動するレバーを備えている場合であって、レバーを付勢する付勢部材の付勢力によってカード２にトレイ３から抜ける方向（すなわち、前方向）への力が作用する場合には、トレイ３からカード２が抜けやすくなるが、本形態では、この場合であっても、トレイ３からのカード２の抜けを防止することが可能になる。
【００４８】
また、本形態では、トレイ３がカード処理位置にあるときに、カード２は、両持ち状態のバネ部材１３の付勢力によって、カード当接部１３ｂとカード搭載部３ｇとの間に挟まれた状態で、トレイ３内で保持されている。そのため、カード処理位置にトレイ３があるときにカード２に作用するバネ部材１３のバネ力を大きくすることが可能になる。したがって、本形態では、カード２の端子部２ａとＩＣ接点６とが接触して、データのやりとりが行われているときのトレイ３からのカード２の抜けを効果的に防止することが可能になり、その結果、カード２に記録されるデータが破壊されるのを防止することが可能になる。
【００４９】
特に本形態では、トレイ３がカード処理位置にあるときに、カード２は、前斜め上方向に向かって付勢されるＩＣ接点ブロック１１に当接しているため、ＩＣ接点ブロック１１からの反力がカード２に作用して、トレイ３からカード２が抜けやすくなるが、本形態では、カード処理位置にトレイ３があるときにカード２に作用するバネ部材１３のバネ力を大きくして、トレイ３からのカード２の抜けを効果的に防止することが可能になる。
【００５０】
このように、本形態では、フレーム４に形成される押付部４ｂを用いた比較的簡易な構成で、トレイ３へカード２を収容する際のユーザの操作性を確保するとともにトレイ３に収容されたカード２のトレイ３からの抜けを防止することが可能になり、かつ、カードリーダ１とカード２との間でデータのやりとりが行われる際のトレイ３からのカード２の抜けを効果的に防止することが可能になる。また、本形態では、トレイ３へカード２を収容する際にカード２に作用するバネ部材１３のバネ力を小さくすることが可能になるため、トレイ３へカード２を収容する際にカード２に傷が生じるのを抑制することが可能になる。
【００５１】
本形態では、バネ部材１３は、板バネである。そのため、本形態では、バネ部材１３の構成を簡素化することが可能になる。
【００５２】
（他の実施の形態）
上述した形態は、本発明の好適な形態の一例ではあるが、これに限定されるものではなく本発明の要旨を変更しない範囲において種々変形実施が可能である。
【００５３】
上述した形態では、バネ部材１３の被押付部１３ｃは、カード当接部１３ｂよりも前端側に形成されている。この他にもたとえば、被押付部１３ｃは、カード当接部１３ｂと固定部１３ａとの間に形成されても良い。この場合には、トレイ３がカード処理位置にあるときに、カード２は、被押付部１３ｃを支点とする片持ち状態のバネ部材１３の付勢力によって、カード当接部１３ｂとカード搭載部３ｇとの間に挟まれた状態で、トレイ３内で保持される。そのため、固定部１３ａを支点とする片持ち状態のバネ部材１３の付勢力によって、カード２がトレイ３内で保持される場合と比較して、前後方向（Ｘ方向）におけるバネ部材１３の支点（すなわち、被押付部１３ｃ）と作用点（すなわち、カード当接部１３ｂ）との距離を短くして、カード２に作用するバネ部材１３のバネ力を大きくすることが可能になる。したがって、上述した形態と同様に、カードリーダ１とカード２との間でデータのやりとりが行われているときのトレイ３からのカード２の抜けを効果的に防止することが可能になり、その結果、カード２に記録されるデータが破壊されるのを防止することが可能になる。
【００５４】
上述した形態では、バネ部材１３に形成される被押付部１３ｃの数は１個であるが、バネ部材１３に形成される被押付部１３ｃの数は２個以上であっても良い。この場合には、たとえば、２個以上の被押付部１３ｃのそれぞれに当接する複数の押付部４ｂがフレーム４に形成される。また、この場合には、カード当接部１３ｂよりも前端側に全ての被押付部１３ｃが形成されても良いし、カード当接部１３ｂと固定部１３ａとの間に全ての被押付部１３ｃが形成されても良い。また、カード当接部１３ｂを挟んだ両側に被押付部１３ｃが形成されても良い。
【００５５】
上述した形態では、バネ部材１３は、板バネである。この他にもたとえば、バネ部材１３は、金属製の線状部材（ワイヤ）が折り曲げられることで形成された線バネ（ワイヤバネ）であっても良い。また、バネ部材１３は、樹脂材料で形成された樹脂バネであっても良い。バネ部材１３が樹脂バネである場合には、バネ部材１３は、たとえば、樹脂製のトレイ３と一体で形成されても良い。
【００５６】
バネ部材１３のカード当接部１３ｂは、カード２の上面に当接している。この他にもたとえば、カード当接部１３ｂがカード２の幅方向におけるカード２の端面に当接するように、バネ部材１３が配置されても良い。この場合には、バネ部材１３の付勢力によって、たとえば、カード２は左側に向かって付勢される。バネ部材１３の付勢力によって、カード２が左側に向かって付勢される場合には、トレイ３の左側面を構成する左側面部の右面は、トレイ３内の１つの側面であるカード押付面である。
【００５７】
上述した形態では、押付部４ｂの下面は、傾斜面４ｃと平行面４ｄとによって構成されている。この他にもたとえば、押付部４ｂの下面は、奥側に向かうにしたがって下側へ傾斜する傾斜面のみによって構成されても良い。
【００５８】
上述した形態では、カード２は、接触式のＩＣカードであるが、カード２は、たとえば、非接触式のＩＣカードであっても良い。この場合には、トレイ３がカード処理位置にあるときに、カード２とカードリーダ１との間でデータの通信が行われる。また、カード２は、その表面に感熱方式で印字が行われる印字部を備えるカードであっても良い。この場合には、トレイ３がカード処理位置にあるときに、たとえば、サーマルヘッドによってカード２の印字部に印字が行われる。
【００５９】
上述した形態では、カード２は、厚さが０．７〜０．８ｍｍ程度の矩形状の塩化ビニール製のカードである。この他にもたとえば、カード２は、厚さが０．１８〜０．３６ｍｍ程度のＰＥＴ（ポリエチレンテレフタレート）カードであっても良いし、所定の厚さの紙カード等であっても良い。
【符号の説明】
【００６０】
１  カードリーダ（カード状媒体処理装置）
２  カード（カード状媒体）
３  トレイ（カード収容部）
３ｆ  上面（カード押付面）
４  フレーム（保持部）
４ｂ  押付部
４ｃ  傾斜面
６  ＩＣ接点
１１  ＩＣ接点ブロック
１３  バネ部材
１３ｂ  カード当接部
１３ｃ  被押付部
Ｘ２  カード状媒体処理装置の奥側
【図１】
0005778556.tif 000002
【図２】
0005778556.tif 000003
【図３】
0005778556.tif 000004
【図４】
0005778556.tif 000005
【図５】
0005778556.tif 000006